(57)【要約】【課題】日付を確認する手段として利用する以外に、植物の種子を栽培するのに好適に使用できる用途を有し、使用価値、利用価値の高められたカレンダーを提供する。【解決手段】カレンダーの表紙及び／又は日付表示部に切り取り線を介して切り離し可能な切除片部を設け、水溶性の材料からなるシート、あるいは生分解性の材料からなるシートにより、当該切除片部に植物の種子を取り付けたことを特徴とするカレンダー。【選択図】図２
0003172708.tif 000002
【実用新案登録請求の範囲】
【請求項１】
カレンダーの表紙及び／又は日付表示部に切り取り線を介して切り離し可能な切除片部を設け、
水溶性の材料からなるシート、あるいは生分解性の材料からなるシートにより、当該切除片部に植物の種子を取り付けた
ことを特徴とするカレンダー。
【請求項２】
カレンダーの表紙及び／又は日付表示部に切り取り線を介して切り離し可能な切除片部を設けると共に、
当該切除片部に当該切除片部の表面と裏面とを貫通する透孔部、又は溝を形成し、
水溶性の材料からなるシート、あるいは生分解性の材料からなるシートにより、前記透孔部、又は溝を前記切除片部の表面側と裏面側から覆い、
前記透孔部内、又は前記溝内に植物の種子を封入した
ことを特徴とするカレンダー。
【請求項３】
カレンダーの表紙及び／又は日付表示部に切り取り線を介して切り離し可能な切除片部を設け、
当該切除片部の表面あるいは裏面、若しくは表面及び裏面に、水溶性の材料からなるシート、あるいは生分解性の材料からなるシートを貼り付けることにより、当該水溶性の材料からなるシート、あるいは生分解性の材料からなるシートと、前記切除片部の表面あるいは裏面、若しくは表面及び裏面との間に植物の種子を封入した
ことを特徴とするカレンダー。
【考案の詳細な説明】
【技術分野】
【０００１】
この考案は、カレンダーに関し、特に、日付を確認する手段として利用する以外の用途をも備えているカレンダーに関する。
【背景技術】
【０００２】
カレンダーは、日付を確認する手段として日常生活には欠かせない物品であるが、日付を確認する以外の用途はあまり見受けられていない。
【０００３】
上述のカレンダーについて日付確認以外の新たな用途を付加するため、カレンダーの日めくりシート等を水溶性シートで形成し、この水溶性シートに対し水溶性接着剤を用いて植物の種子を保持してなるカレンダーについての提案がある（特許文献１）。
【０００４】
ここで、植物の種子を保持してなるカレンダー以外にも、本願出願人は、板状体からなる簡易型団扇の一部を活用して植物の種子を栽培できる団扇を提案している（特許文献２）
【先行技術文献】
【特許文献】
【０００５】
【特許文献１】実開平３−７４９７７号公報
【特許文献２】実用新案登録第３１４９２３５号公報
【考案の概要】
【考案が解決しようとする課題】
【０００６】
前述した特許文献２記載の考案は、広告・宣伝用や、景品、販売促進用グッズとして配布等される簡易団扇である板状体からなる団扇において、人間の手に持って風を送る手段として利用される以外の用途、特に、植物の種子を栽培するのに好適に使用できる用途を有し、使用価値、利用価値の高められた団扇を提案するものとして好評を博していた。
【０００７】
出願人は、環境問題についての社会での認識の高まりを踏まえて、団扇以外の物品について上述の使用価値、利用価値の高い物品を提供すべく、日付を確認する手段として利用されているカレンダーに着目した。
【０００８】
そこで、本考案は、日付を確認する手段としての利用以外に、植物の種子を栽培するのに好適に使用できる用途を有し、使用価値、利用価値の高められたカレンダーを提供することを目的にしている。
【課題を解決するための手段】
【０００９】
上記課題を解決するため、以下の考案を提案する。
【００１０】
請求項１記載の考案は、
カレンダーの表紙及び／又は日付表示部に切り取り線を介して切り離し可能な切除片部を設け、
水溶性の材料からなるシート、あるいは生分解性の材料からなるシートにより、当該切除片部に植物の種子を取り付けた
ことを特徴とするカレンダー
である。
【００１１】
請求項２記載の考案は、
カレンダーの表紙及び／又は日付表示部に切り取り線を介して切り離し可能な切除片部を設けると共に、
当該切除片部に当該切除片部の表面と裏面とを貫通する透孔部、又は溝を形成し、
水溶性の材料からなるシート、あるいは生分解性の材料からなるシートにより、前記透孔部、又は溝を前記切除片部の表面側と裏面側から覆い、
前記透孔部内、又は前記溝内に植物の種子を封入した
ことを特徴とするカレンダー
である。
【００１２】
請求項３記載の考案は、
カレンダーの表紙及び／又は日付表示部に切り取り線を介して切り離し可能な切除片部を設け、
当該切除片部の表面あるいは裏面、若しくは表面及び裏面に、水溶性の材料からなるシート、あるいは生分解性の材料からなるシートを貼り付けることにより、当該水溶性の材料からなるシート、あるいは生分解性の材料からなるシートと、前記切除片部の表面あるいは裏面、若しくは表面及び裏面との間に植物の種子を封入した
ことを特徴とするカレンダー
である。
【考案の効果】
【００１３】
この考案によれば、日付を確認する手段として利用する以外に、植物の種子を栽培するのに好適に使用できる用途を有し、使用価値、利用価値の高められたカレンダーを提供することができる。
【図面の簡単な説明】
【００１４】
【図１】本考案の一実施形態である卓上カレンダーの正面図。
【図２】本考案の一実施形態である卓上カレンダーの斜視図。
【図３】本考案の一実施形態である卓上カレンダーの表紙をめくった状態を示す図。
【図４】本考案の一実施形態である卓上カレンダーの日付表示部を示す斜視図。
【図５】本考案の他の実施形態である壁掛カレンダーの斜視図。
【図６】本考案の他の実施形態である日めくり型カレンダーの斜視図。
【図７】この考案のカレンダーにおいて、植物の種子が封入されている状態を説明する一部を省略した断面図であって、（ａ）切除片部の表面あるいは裏面にシートによって植物の種子が封入されている状態を表す図、（ｂ）切除片部の表面と裏面とを貫通する透孔部にシートによって植物の種子が封入されている状態を表す図、（ｃ）この考案のカレンダーから切除片部を切除し、地中に差し込んだ状態を説明する一部を省略した説明図。
【考案を実施するための形態】
【００１５】
以下、添付図面を参照し、この考案の好適な実施形態について説明する。なお、以下の説明及び添付図面において共通している構成部位には共通した符号を用いて説明を行っている。
【００１６】
本考案の実施形態のカレンダーは、図１乃至図４、図５、図６図示のような卓上カレンダー１、壁掛けカレンダー１１及び日めくり型カレンダー１３である。卓上カレンダー１の表紙２、壁掛けカレンダー１１及び日めくり型カレンダー１３の表紙（不図示）には、切り取り線部４を介して切り離し可能な切除片部５が形成されている。切り取り線部４は、例えば、ミシン目にすることができる。
【００１７】
切除片部５の表面、あるいは裏面、若しくは表面と裏面とには、図１乃至図６に符号６で示す水溶性の材料からなるシート、あるいは生分解性の材料からなるシートにより、植物の種子７を取り付け、あるいは封入している。本実施形態における卓上カレンダー１の表紙２には、その表面２ａ側にシート６によって植物の種子７を封入している。図示していない壁掛けカレンダー１１及び日めくり型カレンダー１３の表紙の表面側にもシート６によって植物の種子７が封入されている。
【００１８】
また、本実施形態の卓上カレンダー１、壁掛けカレンダー１１及び日めくり型カレンダー１３では、切除片部５をそれぞれの表紙だけでなく、図３、図４、図５及び図６図示のように、現在の日付を確認するそれぞれの日付表示部３、１２、１４にも形成させることができる。そして、切除片部５の表面、あるいは裏面、若しくは表面と裏面とにシート６によって植物の種子７を封入することができる。本実施形態における卓上カレンダー１、壁掛けカレンダー１１及び日めくり型カレンダー１３の日付表示部３、１２、１４には、その表面３ａ、１２ａ、１４ａ側にシート６によって植物の種子７を封入している。
【００１９】
植物の種子７としては、家庭の花壇、プランターなどで栽培できる花、野菜、ハーブの種子などを用いることができる。
【００２０】
そこで、ミシン目などからなる切り取り線部４を介して切除片部５を卓上カレンダー１の表紙２、壁掛けカレンダー１１及び日めくり型カレンダー１３の表紙（不図示）又は日付表示部３、１２、１４から切り離し、図７（ｃ）図示のように家庭などにおける花壇、プランターなどの土１０の中に埋設し、種子７の発芽に必要な水などを与えると、図面に符号６で示す水溶性の材料からなるシート、あるいは生分解性の材料からなるシートが溶解、あるいは分解すると共に、種子が発芽し、植物を育てることができる。
【００２１】
ミシン目などからなる切り取り線部４によって区画される切除片部５の形状、デザインは種々に定めることができる。例えば、種子７によって咲く花の形状（不図示）等にすることができる。
【００２２】
また、卓上カレンダー１の表紙２、壁掛けカレンダー１１及び日めくり型カレンダー１３の表紙（不図示）に描き表す広告・宣伝などの内容・デザイン又は日付表示部３、１２、１４に描き表す日付表示の内容・デザインに合わせて、切除片部５の形状、デザインを選定することにより、卓上カレンダー１、壁掛カレンダー１１及び日めくり型カレンダー１３を例えば販売等する際に、販売促進の効果を高めることができる。
【００２３】
さらに、卓上カレンダー１、壁掛カレンダー１１及び日めくり型カレンダー１３の表紙、日付表示部３、１２、１４を紙製にしておけば、ミシン目などからなる切り取り線部４によって形成された切除片部５も紙製となる。そこで、図７（ｃ）図示のように、種子７と共に土１０内に差し込んでおいても環境に負荷を与えないものとすることができる。
【００２４】
添付図面において、符号６で示す水溶性の材料からなるシート（例えば、紙製のシート）、あるいは生分解性の材料からなるシートにより、切除片部５に植物の種子７を取り付け、封入する形態としては、種々のものを採用できる。
【００２５】
図１乃至図４、図５、図６、図７（ａ）図示の実施形態は、切除片部５の表面（図７（ａ）中、上側）、あるいは裏面（図３（ａ）中の下側）（不図示）、若しくは表面及び裏面（不図示）に、符号６で示す水溶性の材料からなるシート（紙製のシート）、あるいは生分解性の材料からなるシートを貼り付け、当該シートと、切除片部５の表面あるいは裏面、若しくは表面及び裏面との間に植物の種子７を封入するものである。図７（ａ）図示の実施形態では、切除片部５の表面（表紙の表面２ａ側）のみに植物の種子７が取り付けられている。
【００２６】
これは、符号６で示す水溶性の材料からなるシート、あるいは生分解性の材料からなるシートを切除片部５の表面に貼り付けることにより、水溶性の材料からなるシート、あるいは生分解性の材料からなるシートと、切除片部５の表面との間に植物の種子７を封入して、植物の種子７を、切除片部５の表面（表紙２の表面２ａ側）に取り付けるものである。同じようにして、切除片部５の裏面のみ、あるいは、切除片部５の表面と裏面とに植物の種子７を取り付けることができる。
【００２７】
図７（ｂ）は、切除片部５に切除片部５の表面（図７（ｂ）中、上側面）と裏面（図７（ｂ）中、下側面）とを貫通する透孔部８を形成し、符号９ａ、９ｂで示す水溶性の材料からなるシート、あるいは生分解性の材料からなるシートにより透孔部８を切除片部５の表面側と裏面側から覆い、透孔部８内に種子７を封入することにより、切除片部５に植物の種子７を取り付けたものである。なお、符号８で示されている個所を透孔部でなく、溝としても同様にすることができる。
【００２８】
いずれの実施形態であっても、ミシン目などからなる切り取り線部４を介して切除片部５を表紙２又は日付表示部３、１２、１４から切り離し、図７図示のように家庭などにおける花壇、プランターなどの土１０の中に埋設し、種子７の発芽に必要な水などを与えると、図面に符号６で示す水溶性の材料からなるシート、あるいは生分解性の材料からなるシートが溶解、あるいは分解するとともに、種子７が発芽し、植物を育てることができる。
【００２９】
この考案の卓上カレンダー１、壁掛けカレンダー１１及び日めくり型カレンダー１３によれば、植物の種子７が、水溶性の材料からなるシート６、あるいは生分解性の材料からなるシート６によって、取り付け、あるいは封入されている切除片部５が表紙又は日付表示部３、１２、１４に含まれているので、卓上カレンダー１、壁掛けカレンダー１１及び日めくり型カレンダー１３の使用時、日にちが変わる毎、月が変わるごとに、表紙又は日付表示部３、１２、１４から切除片部５を切り離し、種子７を植えて花を育てようとする起因とすることができる。
【００３０】
そこで、卓上カレンダー１、壁掛カレンダー１１及び日めくり型カレンダー１３を販売する際に、販売促進の効果を高めることができる。
【００３１】
以上、添付図面を参照して本考案の好ましい実施形態を説明したが、本考案はかかる実施形態に限定されることなく、実用新案登録請求の範囲の記載から把握される技術的範囲において種々の形態に変更可能である。
【符号の説明】
【００３２】
１  卓上カレンダー
２  表紙
２ａ  表紙の表面
２ｂ  表紙の裏面
３、１２、１４  日付表示部
３ａ、１２ａ、１４ａ  日付表示部の表面
４  切り取り線部
５  切除片部
６、９ａ、９ｂ  水溶性の材料からなるシート（生分解性の材料からなるシート）
７  植物の種子
８  透孔部
１０  土
１０ａ  地表
１１  壁掛カレンダー
１３  日めくり型カレンダー
【図１】
0003172708.tif 000003
【図２】
0003172708.tif 000004
【図３】
0003172708.tif 000005
【図４】
0003172708.tif 000006
【図５】
0003172708.tif 000007
【図６】
0003172708.tif 000008
【図７】
0003172708.tif 000009